(57)【要約】      （修正有）【課題】正しい開き方の冊子を得ることができる画像形成装置を提供する。【解決手段】複数の印刷済みの記録紙から構成され、かつ、製本処理が施された冊子を分解する。分解された冊子の複数の印刷済みの記録紙の各々が有する各ページの原稿に対応する複数の画像データを補助記憶装置に格納する。格納された複数の画像データに、分解された冊子の開き方に関する情報を関連付ける。【選択図】図８
2016171371.tif 000002
【特許請求の範囲】
【請求項１】
複数の原稿からなる第１の冊子を分解し、前記複数の原稿に対応する複数の画像データを生成し、前記生成された複数の画像データを複数の記録媒体に印刷し、前記印刷された複数の記録媒体を第２の冊子に再製本する再製本手段を備える画像形成装置において、
前記第２の冊子の開き方情報を設定する設定手段と、
前記複数の画像データを生成する際に前記設定された第２の冊子の開き方情報を前記複数の画像データに関連づける関連付け手段とを備えることを特徴とする画像形成装置。
【請求項２】
前記第２の冊子の開き方情報は前記第２の冊子が右開きの冊子であるか又は左開きの冊子であるかを規定することを特徴とする請求項１記載の画像形成装置。
【請求項３】
前記再製本手段は前記印刷された複数の記録媒体に綴じ処理を施すことを特徴とする請求項１又は２記載の画像形成装置。
【請求項４】
前記綴じ処理が中綴じ処理、左綴じ処理、又は右綴じ処理であることを特徴とする請求項３記載の画像形成装置。
【請求項５】
前記第２の冊子の開き方情報に応じて前記複数の画像データを複数の記録媒体に印刷し、前記印刷された複数の記録媒体を束ねて原稿束を生成し、前記生成された原稿束に前記左綴じ処理又は前記右綴じ処理を施すことを特徴とする請求項４記載の画像形成装置。
【請求項６】
複数の原稿からなる第１の冊子を分解し、前記複数の原稿に対応する複数の画像データを生成し、前記生成された複数の画像データを複数の記録媒体に印刷し、前記印刷された複数の記録媒体を第２の冊子に再製本する再製本手段を備える画像形成装置の制御方法であって、
前記第２の冊子の開き方情報を設定する設定ステップと、
前記複数の画像データを生成する際に前記設定された第２の冊子の開き方情報を前記複数の画像データに関連づける関連付けステップとを有することを特徴とする画像形成装置の制御方法。
【請求項７】
複数の原稿からなる第１の冊子を分解し、前記複数の原稿に対応する複数の画像データを生成し、前記生成された複数の画像データを複数の記録媒体に印刷し、前記印刷された複数の記録媒体を第２の冊子に再製本する再製本手段を備える画像形成装置の制御方法をコンピュータに実行させるプログラムであって、
前記画像形成装置の制御方法は、
前記第２の冊子の開き方情報を設定する設定ステップと、
前記複数の画像データを生成する際に前記設定された第２の冊子の開き方情報を前記複数の画像データに関連づける関連付けステップとを有することを特徴とするプログラム。
【発明の詳細な説明】
【技術分野】
【０００１】
本発明は、画像形成装置、該装置の制御方法、及びプログラムに関する。
【背景技術】
【０００２】
従来より、複数の原稿から構成される原稿束にステイプルを用いた中綴じ製本処理を施して冊子（以下、「再製本前冊子」という。）を得る画像形成装置が知られている（例えば、特許文献１参照）。また、特許文献１の画像形成装置は再製本前冊子からステイプルが取り除かれて得られる複数の原稿からなる原稿束を原稿毎に読み取って各原稿に対応する複数の画像データを生成し、生成された各画像データを記録紙に印刷し、各画像データが印刷された記録紙にステイプルを用いた中綴じ製本処理を施して新たな冊子（以下、「再製本後冊子」という。）を得る。
【０００３】
具体的に、特許文献１の画像形成装置は、再製本前冊子から分解されて１〜８のページ番号が付与された８枚の原稿（図２０（Ａ））を読み取り、表面及び裏面からなる記録紙（以下、「製本用記録紙」という。）と表面及び裏面からなる他の記録紙（以下、「他の製本用記録紙」という。）との各面に読み取った各原稿の画像データを印刷する。例えば、製本用記録紙の表面の左半分にページ番号８の原稿を印刷し、製本用記録紙の表面の右半分にページ番号１の原稿を印刷し、製本用記録紙の裏面の左半分にページ番号２の原稿を印刷し、製本用記録紙の裏面の右半分にページ番号７の原稿を印刷する（図２０（Ｂ））。また、他の製本用記録紙の表面の左半分にページ番号６の原稿を印刷し、他の製本用記録紙の表面の右半分にページ番号３の原稿を印刷し、他の製本用記録紙の裏面の左半分にページ番号４の原稿を印刷し、他の製本用記録紙の裏面の右半分にページ番号５の原稿を印刷する（図２０（Ｃ））。その結果、ページ番号１の原稿の裏面にページ番号２の原稿が印刷され、ページ番号７の原稿の裏面にページ番号８の原稿が印刷された製本用記録紙が得られ（図２０（Ｄ））、ページ番号３の原稿の裏面にページ番号４の原稿が印刷され、ページ番号５の原稿の裏面にページ番号６の原稿が印刷された他の製本用記録紙が得られる（図２０（Ｅ））。その後、製本用記録紙の裏面と他の製本用記録紙の表面とが対向するように製本用記録紙及び他の製本用記録紙を重畳して二つ折りにし、折り部にステイプルを用いた中綴じ製本処理を施すと左開きの再製本後冊子が得られる（図２０（Ｆ））。
【０００４】
ところで、通常、製本された冊子には上記左開きの冊子だけでなく、右開きの冊子（図２１）も存在する。例えば、再製本前冊子が左開きの冊子の場合、当該再製本前冊子から得られる再製本後冊子も左開きの冊子とする必要があり、再製本前冊子が右開きの冊子の場合、再製本後冊子も右開きの冊子とする必要がある。仮に、左開きの冊子の再製本前冊子から右開きの再製本後冊子を得た場合、再製本後冊子の見開きのページ（図２２（Ｂ））は、再製本前冊子の見開きのページ（図２２（Ａ））とは異なるものになる。
【０００５】
これに対応して、再製本前冊子の開き方と同一の開き方の再製本後冊子を得るために、ユーザは再製本後冊子の開き方を設定する必要がある。
【先行技術文献】
【特許文献】
【０００６】
【特許文献１】特開平０９‐０２３３２９号公報
【発明の概要】
【発明が解決しようとする課題】
【０００７】
しかしながら、再製本前冊子の分解後、暫く時間が経過してからユーザが再製本後冊子の開き方を設定する場合、ユーザは再製本前冊子の開き方を失念して再製本前冊子の開き方と異なる開き方を再製本後冊子の開き方として誤って設定する可能性がある。この場合、再製本後冊子は再製本前冊子の開き方と異なる開き方で製本されるため、正しい開き方の再製本後冊子を得ることができないという問題がある。
【０００８】
本発明の目的は、正しい開き方の冊子を得ることができる画像形成装置、該装置の制御方法、及びプログラムを提供することにある。
【課題を解決するための手段】
【０００９】
上記目的を達成するために、本発明の画像形成装置は、複数の原稿からなる第１の冊子を分解し、前記複数の原稿に対応する複数の画像データを生成し、前記生成された複数の画像データを複数の記録媒体に印刷し、前記印刷された複数の記録媒体を第２の冊子に再製本する再製本手段を備える画像形成装置において、前記第２の冊子の開き方情報を設定する設定手段と、前記複数の画像データを生成する際に前記設定された第２の冊子の開き方情報を前記複数の画像データに関連づける関連付け手段とを備えることを特徴とする。
【発明の効果】
【００１０】
本発明によれば、正しい開き方の冊子を得ることができる。
【図面の簡単な説明】
【００１１】
【図１】本発明の実施の形態に係る画像形成装置としてのＭＦＰの内部構成を概略的に示すブロック図である。
【図２】図１におけるＣＰＵによって実行されるソフトウェアの構成を概略的に示すブロック図である。
【図３】図１におけるＣＰＵによって実行されるボックス保存処理の手順を示すフローチャートである。
【図４】図１におけるタッチパネルディスプレイに表示されるメインメニュー画面を説明するために用いられる図である。
【図５】図４のメインメニュー画面におけるボックス保存処理ボタンが押下されたときにタッチパネルディスプレイに表示されるボックス選択画面を説明するために用いられる図である。
【図６】図１におけるタッチパネルディスプレイに表示される設定画面を説明するために用いられる図である。
【図７】図６の設定画面における応用モードボタンが押下されたときにタッチパネルディスプレイに表示される応用モード設定画面を説明するために用いられる図である。
【図８】図７の応用モード設定画面における分割読取ボタンが押下されたときにタッチパネルディスプレイに表示される分割読取画面を説明するために用いられる図である。
【図９】図３のステップＳ３０９において中綴じ製本処理が施された左開きの再製本前冊子の構成原稿を読み取る読取手順を説明するために用いられる図である。
【図１０】図３のステップＳ３０９において中綴じ製本処理が施された右開きの再製本前冊子の構成原稿を読み取る読取手順を説明するために用いられる図である。
【図１１】図１におけるＣＰＵによって実行されるボックス印刷処理の手順を示すフローチャートである。
【図１２】図４のメインメニュー画面におけるボックス印刷処理ボタンが押下されたときにタッチパネルディスプレイに表示されるボックス選択画面を説明するために用いられる図である。
【図１３】図１２のボックス選択画面が備えるボックス選択肢が選択されたときにタッチパネルディスプレイに表示されるデータ一覧画面を説明するために用いられる図である。
【図１４】図１３のデータ一覧画面におけるデータが選択されたときにタッチパネルディスプレイに表示される印刷設定画面を説明するために用いられる図である。
【図１５】図１４の印刷設定画面における応用モードボタンが押下されたときにタッチパネルディスプレイに表示される応用印刷モード設定画面を説明するために用いられる図である。
【図１６】図１５の応用印刷モード設定画面における製本印刷ボタンが押下されたときにタッチパネルディスプレイに表示される製本印刷設定画面を説明するために用いられる図である。
【図１７】図１１のボックス印刷処理の変形例の手順を示すフローチャートである。
【図１８】図１５の応用印刷モード設定画面における両面印刷ボタンが押下されたときにタッチパネルディスプレイに表示される両面印刷設定画面を説明するために用いられる図である。
【図１９】図１５の応用印刷モード設定画面におけるステイプルボタンが押下されたときにタッチパネルディスプレイに表示されるステイプル設定画面を説明するために用いられる図である。
【図２０】画像データを記録媒体に印刷するとともに画像データが印刷された記録媒体を製本化する製本処理を説明するために用いられる図である。
【図２１】製本化された冊子の開き方を説明するために用いられる図である。
【図２２】製本された右開きの冊子及び製本化された左開きの冊子の見開きのページの相違点を説明するために用いられる図である。
【発明を実施するための形態】
【００１２】
以下、本発明の実施の形態について図面を参照しながら詳述する。
【００１３】
図１は、本発明の実施の形態に係る画像形成装置としてのＭＦＰ１００の内部構成を概略的に示すブロック図である。
【００１４】
図１のＭＦＰ１００はＣＰＵ１０１、タッチパネルディスプレイ１０２、スキャナ１０３、原稿給紙装置１０４、プリンタ１０５、ステイプル装置１０６、メモリ１０７、及び補助記憶装置１０８を備え、これらの構成要素は内部バス１０９を介して互いに接続されている。
【００１５】
ＣＰＵ１０１はメモリ１０７に展開されたプログラムを実行してＭＦＰ１００の各構成要素を制御する。タッチパネルディスプレイ１０２はユーザからの指示を受け付け、又はユーザからの指示に対する応答内容を表示する。スキャナ１０３は原稿を読み取るとともに当該原稿に対応する画像データを生成する。原稿給紙装置１０４は原稿をスキャナ１０３に搬送する。また、原稿給紙装置１０４は一度スキャナ１０３に搬送した原稿を反転して再度スキャナ１０３に搬送する。プリンタ１０５はスキャナ１０３が生成した画像データを記録媒体、例えば、記録紙に印刷する。ステイプル装置１０６はプリンタ１０５により印刷された記録紙の束としての原稿束をステイプルで綴じる。メモリ１０７はプログラムの実行に使用するデータ等を格納する。補助記憶装置１０８は、例えば、ハードディスクドライブ等の大容量記憶装置であり、スキャナ１０３が生成した画像データやＣＰＵ１０１が実行する各種プログラムを格納する。
【００１６】
図２は、図１におけるＣＰＵ１０１によって実行されるソフトウェア２００の構成を概略的に示すブロック図である。
【００１７】
図２のソフトウェア２００はボックス保存処理制御部２０１、ボックス印刷処理制御部２０２、スキャン処理制御部２０３、プリント処理制御部２０４、画像処理制御部２０５、ステイプル処理制御部２０６、及び画像情報管理部２０７を備える。
【００１８】
ボックス保存処理制御部２０１はスキャナ１０３が生成した画像データを補助記憶装置１０８に格納する処理を制御する。ボックス印刷処理制御部２０２は、補助記憶装置１０８に格納される画像データのうちボックス保存処理制御部２０１が格納する処理を制御した画像データが印刷される処理を制御する。スキャン処理制御部２０３はスキャナ１０３が原稿を読み取って画像データを生成する処理を制御する。プリント処理制御部２０４はプリンタ１０５が画像データを印刷する処理を制御する。画像処理制御部２０５は画像データに施される各種画像処理を制御する。ステイプル処理制御部２０６は画像データが印刷された複数の記録媒体に対しステイプルによって綴じる処理を制御する。画像情報管理部２０７は補助記憶装置１０８に格納された画像に関する情報を管理する。
【００１９】
図３は、図１におけるＣＰＵ１０１によって実行されるボックス保存処理の手順を示すフローチャートである。図３の処理が実行されると、例えば、中綴じ製本処理が施された左開きの再製本前冊子（第１の冊子）から分解された複数の印刷済みの記録紙（以下、「印刷済記録紙」という。）の各々が有する各ページの原稿に対応する複数の画像データが補助記憶装置１０８に格納される。ここでは再製本前冊子は２枚の印刷済記録紙からなり、各印刷済記録紙は４つの原稿が印刷されたページを含むことを前提とする。また、再製本前冊子は、各印刷済記録紙に対して中綴じ製本処理が施されることによって得られる左開きの冊子であることを前提とする。
【００２０】
図３において、まず、メインメニュー画面４００（図４）をタッチパネルディスプレイ１０２に表示し、メインメニュー画面４００が備えるボックス保存処理ボタン４０１が押下されたか否かを判別する（ステップＳ３０１）。ステップＳ３０１の判別の結果、ボックス保存処理ボタン４０１が押下されていないとき、本処理を終了し、ボックス保存処理ボタン４０１が押下されたとき、後述のステップＳ３０９においてスキャナ１０３が生成した画像データを格納する格納場所（以下、「ボックス」という。）を選択するためにボックス選択画面５００（図５）をタッチパネルディスプレイ１０２に表示する（ステップＳ３０２）。ここではボックス選択画面５００が備えるボックス選択肢５０１（ボックス番号００のボックス）が選択されたものとする。
【００２１】
次いで、スキャナ１０３が各ページの原稿を読み取る際の条件を設定するために設定画面６００（図６）をタッチパネルディスプレイ１０２に表示し、設定画面６００が備える応用モードボタン６０１が押下されたか否かを判別する（ステップＳ３０３）。ステップＳ３０３の判別の結果、応用モードボタン６０１が押下されていないとき、本処理を終了し、応用モードボタン６０１が押下されたとき、応用モード設定画面７００（図７）をタッチパネルディスプレイ１０２に表示し（ステップＳ３０４）、応用モード設定画面７００が備える分割読取ボタン７０１が押下されたか否かを判別する（ステップＳ３０５）。ステップＳ３０５の判別の結果、分割読取ボタン７０１が押下されていないとき、本処理を終了し、分割読取ボタン７０１が押下されたとき、分割読取画面８００（図８）をタッチパネルディスプレイ１０２に表示する（ステップＳ３０６）。
【００２２】
分割読取画面８００は、プルダウンメニュー８０１、選択ボタン８０２ａ，８０２ｂ、及び設定完了ボタン８０３を備える。例えば、プルダウンメニュー８０１に「Ａ３→Ａ４」が表示されているとき、Ａ３サイズの印刷済記録紙の各ページに印刷されている原稿はＡ４サイズで読み取られる。また、選択ボタン８０２ａ，８０２ｂは冊子の開き方に関する情報（以下、「開き方情報」という。）を示し、ユーザは複数の印刷済みの記録紙に分解された再製本前冊子の開き方を確認して選択ボタン８０２ａ又は選択ボタン８０２ｂを選択する。再製本前冊子が左開きのとき、選択ボタン８０２ａが選択され、再製本前冊子が右開きのとき、選択ボタン８０２ｂが選択される。ここでは選択ボタン８０２ａが選択されて開き方情報として左開きが設定されたものとする。設定完了ボタン８０３が押下されると、設定画面６００が再度タッチパネルディスプレイ１０２に表示される。
【００２３】
図３に戻り、分割読取画面８００における選択ボタン８０２ｂが選択され、設定完了ボタン８０３が押下されると、設定画面６００が再度タッチパネルディスプレイ１０２に表示され、設定画面６００が備えるスキャンボタン６０２が押下されたか否かを判別する（ステップＳ３０７）。ステップＳ３０７の判別の結果、スキャンボタン６０２が押下されていないとき、本処理を終了し、スキャンボタン６０２が押下されたとき、原稿給紙装置１０４は再製本前冊子から分解された１枚の印刷済記録紙をスキャナ１０３に搬送し（ステップＳ３０８）、スキャナ１０３は搬送された印刷済記録紙の表面の右半分のページの原稿及び表面の左半分のページの原稿を読み取ってそれぞれに対応する画像データを生成し、次いで、原稿給紙装置１０４は搬送された印刷済記録紙を反転し、スキャナ１０３は反転された印刷済記録紙の裏面の右半分のページの原稿及び裏面の左半分のページの原稿を読み取ってそれぞれに対応する画像データを生成し、ＣＰＵ１０１は生成された各画像データを補助記憶装置１０８に格納する（ステップＳ３０９）。
【００２４】
具体的に、中綴じ製本処理が施された左開きの再製本前冊子から分解された２枚の印刷済記録紙が有する８枚のページに印刷された原稿を読み取るとき（図９）、１枚目の印刷済記録紙の表面の右半分（ページ番号１）のページの原稿が読み取られ、１枚目の印刷済記録紙の表面の左半分（ページ番号８）のページの原稿が読み取られる。その後、１枚目の印刷済記録紙が反転され、１枚目の印刷済記録紙の裏面の右半分（ページ番号７）のページの原稿が読み取られ、１枚目の印刷済記録紙の裏面の左半分（ページ番号２）のページの原稿が読み取られる（図９（Ａ））。次いで、２枚目の印刷済記録紙の表面の右半分（ページ番号３）のページの原稿が読み取られ、２枚目の印刷済記録紙の表面の左半分（ページ番号６）のページの原稿が読み取られる。その後、２枚目の印刷済記録紙が反転され、２枚目の印刷済記録紙の裏面の右半分（ページ番号５）のページの原稿が読み取られ、２枚目の印刷済記録紙の裏面の左半分（ページ番号４）のページの原稿が読み取られる（図９（Ｂ））。
【００２５】
なお、中綴じ製本処理が施された右開きの再製本前冊子から分解された２枚の印刷済記録紙が有する８枚のページに印刷された原稿を読み取るとき（図１０）、１枚目の印刷済記録紙の表面の右半分（ページ番号８）のページの原稿が読み取られ、１枚目の印刷済記録紙の表面の左半分（ページ番号１）のページの原稿が読み取られる。その後、１枚目の印刷済記録紙が反転され、１枚目の印刷済記録紙の裏面の右半分（ページ番号２）のページの原稿が読み取られ、１枚目の印刷済記録紙の裏面の左半分（ページ番号７）のページの原稿が読み取られる（図１０（Ａ））。次いで、２枚目の印刷済記録紙の表面の右半分（ページ番号６）のページの原稿が読み取られ、２枚目の印刷済記録紙の表面の左半分（ページ番号３）のページの原稿が読み取られる。その後、２枚目の印刷済記録紙が反転され、２枚目の印刷済記録紙の裏面の右半分（ページ番号４）のページの原稿が読み取られ、２枚目の印刷済記録紙の裏面の左半分（ページ番号５）のページの原稿が読み取られる（図１０（Ｂ））。
【００２６】
図３に戻り、再製本前冊子から分解された全ての印刷済記録紙の読み取りが完了したか否かを判別する（ステップＳ３１０）。ステップＳ３１０の判別の結果、全ての印刷済記録紙の読み取りが完了していないとき、ステップＳ３０８に戻り、全ての印刷済記録紙の読み取りが完了したとき、補助記憶装置１０８に格納された各原稿に対応する画像データにページ番号を付与する（ステップＳ３１１）。
【００２７】
具体的に、ページ番号は各画像データに対応するページの原稿が読み取られたタイミングに基づいて付与される。例えば、設定された開き方情報が左開きの場合、印刷済記録紙の総数をＮとし、スキャナ１０３に搬送された印刷済記録紙の順番をｎとすると、４ｎ−３番目に読取られた画像データは２ｎ−１ページであり、４ｎ−２番目に読取られた画像データは４Ｎ−２ｎ＋２ページであり、４ｎ−１番目に読取られた画像データは４Ｎ−２ｎ＋１ページであり、４ｎ番目に読取られた画像データは２ｎページである。
【００２８】
なお、設定された開き方情報が右開きの場合、印刷済記録紙の総数をＮとし、スキャナ１０３に搬送された印刷済記録紙の順番をｎとすると、４ｎ−３番目に読取られた画像データは４Ｎ−２ｎ＋２ページであり、４ｎ−２番目に読取られた画像データは２ｎ−１ページであり、４ｎ−１番目に読取られた画像データは２ｎページであり、４ｎ番目に読取られた画像データは４Ｎ−２ｎ＋１ページである。
【００２９】
その後、選択ボタン８０２ａ，８０２ｂにおいて選択されて設定された冊子の開き方情報を補助記憶装置１０８に格納された各原稿の画像データに関連付けて（ステップＳ３１２）本処理を終了する。
【００３０】
図３の処理によれば、選択ボタン８０２ａ，８０２ｂにおいて選択されて設定された冊子の開き方情報は補助記憶装置１０８に格納された各原稿ページに関連付けられる（ステップＳ３１２）。図３の処理では、ユーザが選択ボタン８０２ａ，８０２ｂによって冊子の開き方情報を設定した後に再製本前冊子から分解された各印刷済記録紙の各ページの原稿が読み取られ、各原稿に対応する画像データは補助記憶装置１０８に格納されるので、ユーザは読み取り前の各原稿を確認して再製本前冊子の開き方を認識することができる。したがって、ユーザは再製本前冊子の開き方に対応しない開き方情報を設定することがない。
【００３１】
図１１は、図１におけるＣＰＵ１０１によって実行されるボックス印刷処理の手順を示すフローチャートである。図１１の処理が実行されると、図３のボックス保存処理において補助記憶装置１０８に格納された各画像データが印刷されて再製本前冊子と同一の開き方の再製本後冊子（第２の冊子）が得られる。
【００３２】
図１１において、まず、メインメニュー画面４００をタッチパネルディスプレイ１０２に表示し、メインメニュー画面４００が備えるボックス印刷処理ボタン４０２が押下されたか否かを判別する（ステップＳ１１０１）。ステップＳ１１０１の判別の結果、ボックス印刷処理ボタン４０２が押下されていないとき、本処理を終了し、ボックス印刷処理ボタン４０２が押下されたとき、ボックス選択画面１２００（図１２）をタッチパネルディスプレイ１０２に表示する（ステップＳ１１０２）。ここではボックス選択画面１２００が備えるボックス選択肢１２０１（ボックス番号００のボックス）が選択されたものとする。次いで、ボックス番号００のボックスに格納されている画像データを示すデータ一覧画面１３００（図１３）をタッチパネルディスプレイ１０２に表示する（ステップＳ１１０３）。ここではデータ一覧画面１３００が備えるデータ１３０１が選択されたものとし、データ１３０１はステップＳ３１２において設定された冊子の開き方情報が関連付けられた各原稿の画像データとする。
【００３３】
データ１３０１が選択されると、印刷設定画面１４００（図１４）をタッチパネルディスプレイ１０２に表示し（ステップＳ１１０４）、印刷設定画面１４００が備える応用モードボタン１４０１が押下されたか否かを判別する（ステップＳ１１０５）。ステップＳ１１０５の判別の結果、応用モードボタン１４０１が押下されていないとき、本処理を終了し、応用モードボタン１４０１が押下されたとき、応用印刷モード設定画面１５００（図１５）をタッチパネルディスプレイ１０２に表示し（ステップＳ１１０６）、製本印刷ボタン１５０１が押下されたか否かを判別する（ステップＳ１１０７）。ステップＳ１１０７の判別の結果、製本印刷ボタン１５０１が押下されていないとき、本処理を終了し、製本印刷ボタン１５０１が押下されたとき、製本印刷設定画面１６００（図１６）をタッチパネルディスプレイ１０２に表示する（ステップＳ１１０８）。
【００３４】
製本印刷設定画面１６００はサイズ表示欄１６０１、選択ボタン１６０２ａ，１６０２ｂ、及び設定完了ボタン１６０３を備える。サイズ表示欄１６０１は、例えば、Ａ４サイズで読み取った原稿の画像データをＡ３サイズの印刷済記録紙に印刷することを表示する。選択ボタン１６０２ａ，１６０２ｂは再製本後冊子の開き方情報を示す。ここで、選択ボタン１６０２ａ又は選択ボタン１６０２ｂは製本印刷設定画面１６００がタッチパネルディスプレイ１０２に表示されたとき、データ１３０１の各原稿の画像データに関連付けられた冊子の開き方情報に基づいて予め反転表示される。なお、データ一覧画面１３００において選択されたデータに冊子の開き方情報が関連付けられていないときは、予めデフォルト値として設定されている開き方情報が反転表示される。ここで、ユーザが選択ボタン１６０２ａ又は選択ボタン１６０２ｂを選択することにより、製本される再製本後冊子の開き方情報が設定されるが、特にユーザが選択ボタン１６０２ａ又は選択ボタン１６０２ｂを選択しない場合、反転表示される選択ボタン１６０２ａ又は選択ボタン１６０２ｂに対応する開き方情報が再製本後冊子の開き方情報として設定される。その後、設定完了ボタン１６０３が押下されると、印刷設定画面１４００が再度タッチパネルディスプレイ１０２に表示される。
【００３５】
図１１に戻り、設定完了ボタン１６０３が押下されたか否かを判別する（ステップＳ１１０９）。ステップＳ１１０９の判別の結果、設定完了ボタン１６０３が押下されていないとき、本処理を終了し、設定完了ボタン１６０３が押下されたとき、印刷設定画面１４００を再度タッチパネルディスプレイ１０２に表示して印刷設定画面１４００が備える印刷ボタン１４０２が押下されたか否かを判別する（ステップＳ１１１０）。
【００３６】
ステップＳ１１１０の判別の結果、印刷ボタン１４０２が押下されていないとき、本処理を終了し、印刷ボタン１４０２が押下されたとき、画像処理制御部２０５は製本印刷設定画面１６００を介して設定された印刷済記録紙のサイズ、原稿のサイズ、再製本後冊子の開き方情報、製本形式（図１１の処理では、中綴じ製本のみが設定可能である）、及び図３のステップＳ３１１において付与された画像データのページ番号等に基づいて印刷レイアウトを決定して印刷用の画像データを生成する（ステップＳ１１１１）。その後、プリント処理制御部２０４は生成された画像データを未印刷記録紙の各ページに印刷し（ステップＳ１１１２）、各ページに画像データが印刷された記録紙の束としての原稿束に中綴じ製本処理を施して（ステップＳ１１１３）本処理を終了する。
【００３７】
図１１の処理によれば、選択されたデータ１３０１の各原稿の画像データに関連付けられた冊子の開き方情報に基づいて再製本後冊子の開き方情報が設定され（ステップＳ１１０９でＹＥＳ）、設定された再製本後冊子の開き方情報に基づいて印刷レイアウトが決定される（ステップＳ１１１１）。選択されたデータ１３０１の各原稿の画像データに関連付けられた冊子の開き方情報は、ユーザが再製本前冊子の開き方を認識した上で設定した開き方情報なので、再製本前冊子の開き方、すなわち、正しい開き方に対応する。その結果、設定された再製本後冊子の開き方情報に基づいて生成された印刷レイアウトから正しい開き方の冊子を得ることができる。
【００３８】
図１７は、図１１のボックス印刷処理の変形例の手順を示すフローチャートである。
【００３９】
図１７のステップＳ１１０１〜Ｓ１１０６，Ｓ１１１０の処理は図１１のステップＳ１１０１〜Ｓ１１０６，Ｓ１１１０の処理と同一であるため、以下において、図１１の処理と異なる点のみ説明する。なお、図１１の処理では再製本後冊子の製本形式として中綴じ製本のみが設定可能であったが、図１７の処理では製本後冊子の製本形式として右綴じ製本又は左綴じ製本のみが設定可能である。
【００４０】
図１７において、応用印刷モード設定画面１５００（図１５）をタッチパネルディスプレイ１０２に表示し（ステップＳ１１０６）、両面印刷ボタン１５０２が押下されたか否かを判別する（ステップＳ１７０１）。ステップＳ１７０１の判別の結果、両面印刷ボタン１５０２が押下されていないとき、本処理を終了し、両面印刷ボタン１５０２が押下されたとき、両面印刷設定画面１８００（図１８）をタッチパネルディスプレイ１０２に表示する（ステップＳ１７０２）。
【００４１】
両面印刷設定画面１８００はラジオボタン１８０１ａ，１８０１ｂ、印刷サイズ表示欄１８０２、及び設定完了ボタン１８０３を備える。ラジオボタン１８０１ａが選択されると、表面及び裏面を有する記録紙の表面にのみ画像データが印刷される。また、ラジオボタン１８０１ｂが選択されると、表面及び裏面を有する記録紙の両面に画像データが印刷される。印刷サイズ表示欄１８０２には印刷に使用される記録紙のサイズが表示される。
【００４２】
設定完了ボタン１８０３が押下されると、再度応用印刷モード設定画面１５００（図１５）がタッチパネルディスプレイ１０２に表示される。
【００４３】
図１７に戻り、設定完了ボタン１８０３が押下されたか否かを判別する（ステップＳ１７０３）。ステップＳ１７０３の判別の結果、設定完了ボタン１８０３が押下されていないとき、本処理を終了し、設定完了ボタン１８０３が押下されたとき、応用印刷モード設定画面１５００をタッチパネルディスプレイ１０２に表示する（ステップＳ１７０４）。
【００４４】
次いで、応用印刷モード設定画面１５００が備えるステイプルボタン１５０３が押下されたか否かを判別する（ステップＳ１７０５）。ステップＳ１７０５の判別の結果、ステイプルボタン１５０３が押下されていないとき、本処理を終了し、ステイプルボタン１５０３が押下されたとき、ステイプル設定画面１９００（図１９）をタッチパネルディスプレイ１０２に表示する（ステップＳ１７０６）。
【００４５】
ステイプル設定画面１９００は綴じ位置設定ボタン１９０１ａ，１９０１ｂ及び設定完了ボタン１９０２を備える。綴じ位置設定ボタン１９０１ａが選択されると製本後冊子の製本形式として左綴じ製本が設定され、原稿束の左端がステイプルで綴じられる。綴じ位置設定ボタン１９０１ｂが選択されると製本後冊子の製本形式として右綴じ製本が設定され、原稿束の右端がステイプルで綴じられる。
【００４６】
ここで、綴じ位置設定ボタン１９０１ａ又は綴じ位置設定ボタン１９０１ｂはステイプル設定画面１９００がタッチパネルディスプレイ１０２に表示されたとき、ステップＳ１１０３において選択されたデータ１３０１の各原稿の画像データに関連付けられた冊子の開き方情報に基づいて予め反転表示される。
【００４７】
ところで、左綴じ製本の冊子の開き方は左開きであり、右綴じ製本の冊子の開き方は右開きとなる。したがって、再製本前冊子の開き方が左開きであった場合、再製本前冊子から再製本される再製本後冊子の製本形式としては左綴じ製本が設定されるのが自然であり、再製本前冊子の開き方が右開きであった場合、再製本前冊子から再製本される再製本後冊子の製本形式としては右綴じ製本が設定されるのが自然である。
【００４８】
そこで、図１７の処理では、データ一覧画面１３００において選択されたデータの各原稿の画像データに関連付けられた冊子の開き方情報が左開きを規定しているときは、綴じ位置設定ボタン１９０１ａが予め反転表示される。また、データ一覧画面１３００において選択されたデータの各原稿の画像データに関連付けられた冊子の開き方情報が右開きを規定しているときは綴じ位置設定ボタン１９０１ｂが予め反転表示される。
【００４９】
なお、データ一覧画面１３００において選択されたデータに冊子の開き方情報が関連付けられていないときは、予めデフォルト値として設定されている開き方情報が反転表示される。ここで、ユーザが綴じ位置設定ボタン１９０１ａ又は綴じ位置設定ボタン１９０１ｂを選択することにより、製本される再製本後冊子の綴じ位置が設定されるが、特にユーザが綴じ位置設定ボタン１９０１ａ又は綴じ位置設定ボタン１９０１ｂを選択しない場合、反転表示される綴じ位置設定ボタン１９０１ａ又は綴じ位置設定ボタン１９０１ｂに対応する綴じ位置が再製本後冊子の綴じ位置として設定される。
【００５０】
図１７の処理では、データ１３０１の各原稿の画像データに関連付けられた冊子の開き方情報が左開きであるため、綴じ位置設定ボタン１９０１ａが選択されて設定されたものとする。その後、設定完了ボタン１９０２が押下されると、印刷設定画面１４００が再度タッチパネルディスプレイ１０２に表示される。
【００５１】
図１７に戻り、設定完了ボタン１９０２が押下されたか否かを判別する（ステップＳ１７０７）。ステップＳ１７０７の判別の結果、設定完了ボタン１９０２が押下されていないとき、本処理を終了し、設定完了ボタン１９０２が押下されたとき、ステップＳ１１１０に進む。その後、ステップＳ１１１０において、印刷ボタン１４０２が押下されたとき、プリント処理制御部２０４は画像データを未印刷記録紙の両面に印刷して印刷結果物としての原稿束を取得する（ステップＳ１７０８）。
【００５２】
ところで、再製本後冊子が中綴じである場合、原稿束を取得するために、再製本後冊子の開き方が右開きか左開きかに応じて各未印刷記録紙への各原稿の画像データの印刷順を変更する必要があるが、再製本後冊子が左綴じ及び右綴じのいずれかである場合、単純に各未印刷記録紙へ各原稿の画像データをページ番号に従って順に印刷すればよく、図１７の処理では、１〜８のページ番号が付与された８つの画像データのうちページ番号１の画像データ及びページ番号２の画像データはそれぞれ１枚目の未印刷記録紙の表面及び裏面に、ページ番号３の画像データ及びページ番号４の画像データは２枚目の未印刷記録紙の表面及び裏面に、ページ番号５の画像データ及びページ番号６の画像データはそれぞれ３枚目の未印刷記録紙の表面及び裏面に、ページ番号７の画像データ及びページ番号８の画像データはそれぞれ４枚目の未印刷記録紙の表面及び裏面に印刷される。
【００５３】
次いで、ステイプル処理制御部２０６は取得された原稿束の左端をステイプルで綴じ、再製本後冊子を得て（ステップＳ１７０９）本処理を終了する。
【００５４】
一般に、左開き冊子の開き方及び左綴じ製本の開き方は左開きであり、右開き冊子の開き方及び右綴じ製本の開き方は右開きであるが、図１７の処理によれば、選択されたデータ１３０１の各原稿の画像データに関連付けられた冊子の開き方情報に基づいて再製本後冊子の綴じ位置が設定されるので（ステップＳ１７０６）、再製本後冊子の開き方を自然な開き方とすることができる。
【００５５】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５６】
１００  ＭＦＰ
１０１  ＣＰＵ
１０３  スキャナ
１０５  プリンタ
１０６  ステイプル装置
１０８  補助記憶装置
２０４  プリント処理制御部
２０５  画像処理制御部
８００  分割読取画面
１６００  製本印刷設定画面
【図１】
2016171371.tif 000003
【図２】
2016171371.tif 000004
【図３】
2016171371.tif 000005
【図４】
2016171371.tif 000006
【図５】
2016171371.tif 000007
【図６】
2016171371.tif 000008
【図７】
2016171371.tif 000009
【図８】
2016171371.tif 000010
【図９】
2016171371.tif 000011
【図１０】
2016171371.tif 000012
【図１１】
2016171371.tif 000013
【図１２】
2016171371.tif 000014
【図１３】
2016171371.tif 000015
【図１４】
2016171371.tif 000016
【図１５】
2016171371.tif 000017
【図１６】
2016171371.tif 000018
【図１７】
2016171371.tif 000019
【図１８】
2016171371.tif 000020
【図１９】
2016171371.tif 000021
【図２０】
2016171371.tif 000022
【図２１】
2016171371.tif 000023
【図２２】
2016171371.tif 000024